(57)【要約】【課題】折戸の意匠を損なうことなく折戸の正面に取付けることが可能な緩衝装置を提供する。【解決手段】緩衝装置１００は、一方の戸板１１の正面に固着された緩衝機構ユニット１１１と、他方の戸板１２の正面に固着された緩衝機構ユニット１２１とを備える。各ユニット１１１、１２１は、折戸１０の開閉に使用される取っ手１１３と、取っ手１１３と一体となって戸板１１、１２の正面に固着される固定部材１１２と、固定部材１１２に収容された状態で保持され水平方向に圧縮され反発するダンパと、ダンパの先端部に連結された当接部材１１５とを備えている。折戸１０の閉じ際に両ユニット１１１、１２１の当接部材１１５同士が当接し、両戸板１１、１２相互の閉鎖方向への回動に伴って両当接部材１１５同士が押圧し合うことにより両ユニット１１１、１２１のダンパが同時に圧縮され、その反発力が制動力として折戸１０に作用する。【選択図】図６
2008248606.tif 000002
【特許請求の範囲】
【請求項１】
一方の戸板と他方の戸板とが互いに水平方向に回動自在に接続されてなる折戸の閉じ際における回動を制動する緩衝装置であって、
前記一方の戸板の前記他方の戸板との連結端部に取り付けられる緩衝機構ユニットと、
前記他方の戸板の前記一方の戸板との連結端部に固着される当接体とを備え、
前記緩衝機構ユニットは、
前記折戸の開閉に使用される取っ手と、
前記取っ手と一体となって前記一方の戸板の正面に固着される固定部材と、
前記固定部材に収容された状態で保持され前記他方の戸板側から水平方向に圧縮され反発するダンパと、
前記ダンパの前記他方の戸板側の先端部に連結された当接部材とを備え、
折戸の閉じ際に前記当接部材と前記当接体とが互いに当接し、両戸板相互の閉鎖方向への回動に伴って前記当接部材が前記当接体に押圧されることにより前記ダンパが圧縮されるように構成したことを特徴とする緩衝装置。
【請求項２】
前記固定部材は、
前記ダンパの保持位置の調節を可能とするべく内蔵されたダンパ位置調節機構と、
前記ダンパ位置調節機構を操作するための器具を前記固定部材の内部に挿入できるように前記固定部材の前記当接部材が設けられている側とは反対側の端部に開口した器具挿入口と、
前記器具挿入口を閉塞するべく前記固定部材の当該反対側の端部に脱着可能に装着された蓋体とを備え、
前記固定部材に装着されている状態における前記当接部材の外観と前記蓋体の外観が互いに同一であることを特徴とする請求項１記載の緩衝装置
【請求項３】
前記当接部材の外面には、前記当接部材と前記当接体とが互いに当接した状態での両戸板相互の回動を円滑にすべく曲面部が形成されていることを特徴とする請求項１または２記載の緩衝装置。
【請求項４】
一方の戸板と他方の戸板とが互いに水平方向に回動自在に接続されてなる折戸の閉じ際における回動を制動する緩衝装置であって、
前記一方の戸板の前記他方の戸板との連結端部に取り付けられる第１の緩衝機構ユニットと、
前記他方の戸板の前記一方の戸板との連結端部に取り付けられる第２の緩衝機構ユニットとを備え、
第１の緩衝機構ユニットは、
前記折戸の開閉に使用される第1の取っ手と、
前記第１の取っ手と一体となって前記一方の戸板の正面に固着される第１の固定部材と、
前記第１の固定部材に収容された状態で保持され前記他方の戸板側から水平方向に圧縮され反発する第1のダンパと、
前記第１のダンパの前記他方の戸板側の先端部に連結された第１の当接部材とを備え、
第２の緩衝機構ユニットは、
前記折戸の開閉に使用される第２の取っ手と、
前記第２の取っ手と一体となって前記他方の戸板の正面に固着される第2の固定部材と、
前記第２の固定部材に収容された状態で保持され前記一方の戸板側から水平方向に圧縮され反発する第２のダンパと、
前記第２のダンパの前記一方の戸板側の先端部に連結された第２の当接部材とを備え、
両ユニットの当接部材同士が当接し、両戸板相互の閉鎖方向への回動に伴って両当接部材同士が押圧し合うことにより両ユニットのダンパが同時に圧縮されるように構成したことを特徴とする緩衝装置。
【請求項５】
一方の戸板と他方の戸板とが互いに水平方向に回動自在に接続されてなる折戸の閉じ際における回動を制動する緩衝機構ユニットであって、
前記折戸の開閉に使用される取っ手と、
前記取っ手と一体となって前記一方の戸板の正面に固着される固定部材と、
前記固定部材に収容された状態で保持され前記他方の戸板側から水平方向に圧縮され反発するダンパと、
前記ダンパの前記他方の戸板側の先端部に連結された当接部材とを備え、
折戸の閉じ際に前記当接部材が前記他方の戸板に設けられた当接対象と当接し、両戸板相互の閉鎖方向への回動に伴って前記当接部材が前記当接対象に押圧されることにより前記ダンパが圧縮されるように構成したことを特徴とする緩衝機構ユニット。
【発明の詳細な説明】
【技術分野】
【０００１】
本発明は、シンクキャビネットや吊り戸棚等の建具或いは食器棚、書棚等の家具などに装備される折戸の緩衝装置に関し、折戸を閉める際の戸板相互の急激な回動を制動する緩衝装置に関する。
【背景技術】
【０００２】
折戸は、少なくとも二つの戸板を備え、相隣り合う戸板同士を蝶番を介して互いに水平方向に回動自在に連結するとともに、戸板の上端部をその上方に敷かれたレールにランナーを介して移動自在に支持することにより、戸板相互が回動しながら開閉する構造になっている。
【０００３】
このように折戸は戸板相互が回動しながら開閉する構造上、閉めた時に戸板が左右の戸枠に当接するとともに戸板相互の木口面同士が当接する。このため折戸を閉めた際に戸板が最後まで急激に回動すると大きな衝撃音や振動が発生する。この衝撃が折戸や戸枠に繰り返し加わることが部品の損傷や劣化を早める原因となる。また一旦最後まで閉まった戸板が衝撃により跳ね返り、戸板相互が折れ曲がった姿態で半閉まり状態になるという折戸特有の問題もある。この種の問題を解決するには、折戸を閉める際の戸板相互の急激な回動を緩衝装置で制動することが有効である。
【０００４】
従来、戸板の閉め際における急激な回動を制動する緩衝装置として、蝶番を介して戸板（扉）を取り付けた戸枠（框）の内側側面部に、戸板（扉）の木口面に当接して戸板（扉）の回動を制動する力を及ぼすダンパを埋設したものが知られている。この種のダンパは、戸枠（框）に埋設されたシリンダ内に、戸枠（框）の内側側面から出没するピストンとこれを常時突出させる側に付勢する復元ばねとを備え、戸板（扉）の極閉め際に戸板（扉）の木口面がピストンに当接し、復元ばねの反発力に抗してピストンが押されることにより、復元ばねの反発力をピストンを介して戸板（扉）に作用させる。（特許文献１、２）
【特許文献１】実開昭５３−１６６６１号公報
【特許文献２】実開昭５９−１１１２７９号公報
【発明の開示】
【発明が解決しようとする課題】
【０００５】
上述した従来の緩衝装置を折戸に取り付けるためには、ダンパを埋設するための取付穴を戸板に形成する必要があるため、緩衝装置を取り付けるために戸板に別途穴加工などを施さなければならない。また、従来の緩衝装置は、折戸の意匠が損なわれてしまうという理由から、折戸の正面すなわち折戸を閉じた状態において外側（手前側）から見える側の面に取り付けるということはなされ難かった。
【０００６】
本発明が解決しようとする課題は、緩衝装置を取り付けるために戸板に別途穴加工を施す必要がなく、且つ、折戸の意匠を損なうことなく折戸の正面に取付けることが可能な緩衝装置及び緩衝機構ユニットを提供することにある。
【課題を解決するための手段】
【０００７】
上記課題を解決するために、本発明の第1の構成の緩衝装置は、一方の戸板と他方の戸板とが互いに水平方向に回動自在に接続されてなる折戸の閉じ際における回動を制動する緩衝装置であって、前記一方の戸板の前記他方の戸板との連結端部に取り付けられる緩衝機構ユニットと、前記他方の戸板の前記一方の戸板との連結端部に固着される当接体とを備え、前記緩衝機構ユニットは、前記折戸の開閉に使用される取っ手と、前記取っ手と一体となって前記一方の戸板の正面に固着される固定部材と、前記固定部材に収容された状態で保持され前記他方の戸板側から水平方向に圧縮され反発するダンパと、前記ダンパの前記他方の戸板側の先端部に連結された当接部材とを備え、折戸の閉じ際に前記当接部材と前記当接体とが互いに当接し、両戸板相互の閉鎖方向への回動に伴って前記当接部材が前記当接体に押圧されることにより前記ダンパが圧縮されるように構成したことを特徴としている。
【０００８】
第1の構成の緩衝装置において、前記固定部材は、前記ダンパの保持位置の調節を可能とするべく前記固定部材に内蔵されたダンパ位置調節機構と、前記ダンパ位置調節機構を操作するための器具を前記固定部材の内部に挿入できるように前記固定部材の前記当接部材が設けられている側とは反対側の端部に開口した器具挿入口と、前記器具挿入口を閉塞するべく前記固定部材の当該反対側の端部に脱着可能に装着された蓋体とを備え、前記固定部材に装着されている状態における前記当接部材の外観（形状、模様、色彩、質感のうち少なくとも形状）と前記蓋体の外観が互いに同一であることが望ましい。
【０００９】
また、前記当接部材の外面には、前記当接部材と前記当接体とが互いに当接した状態での両戸板相互の回動を円滑にすべく曲面部が形成されていることが望ましい。
【００１０】
本発明の第２の構成の緩衝装置は、一方の戸板と他方の戸板とが互いに水平方向に回動自在に接続されてなる折戸の閉じ際における回動を制動する緩衝装置であって、前記一方の戸板の前記他方の戸板との連結端部に取り付けられる第１の緩衝機構ユニットと、前記他方の戸板の前記一方の戸板との連結端部に取り付けられる第２の緩衝機構ユニットとを備え、第１の緩衝機構ユニットは、前記折戸の開閉に使用される第1の取っ手と、前記第１の取っ手と一体となって前記一方の戸板の正面に固着される第１の固定部材と、前記第１の固定部材に収容された状態で保持され前記他方の戸板側から水平方向に圧縮され反発する第1のダンパと、前記第１のダンパの前記他方の戸板側の先端部に連結された第１の当接部材とを備え、第２の緩衝機構ユニットは、前記折戸の開閉に使用される第２の取っ手と、前記第２の取っ手と一体となって前記他方の戸板の正面に固着される第2の固定部材と、前記第２の固定部材に収容された状態で保持され前記一方の戸板側から水平方向に圧縮され反発する第２のダンパと、前記第２のダンパの前記一方の戸板側の先端部に連結された第２の当接部材とを備え、両ユニットの当接部材同士が当接し、両戸板相互の閉鎖方向への回動に伴って両当接部材同士が押圧し合うことにより両ユニットのダンパが同時に圧縮されるように構成したことを特徴としている。
【００１１】
第２の構成の緩衝装置において、前記第1の固定部材は、前記第1のダンパの保持位置の調節を可能とするべく内蔵された第1のダンパ位置調節機構と、前記第1のダンパ位置調節機構を操作するための器具を前記第1の固定部材の内部に挿入できるように前記第1の固定部材の前記第1の当接部材が設けられている側とは反対側の端部に開口した第1の器具挿入口と、前記第1の器具挿入口を閉塞するべく前記第1の固定部材の当該反対側の端部に脱着可能に装着された第1の蓋体とを備え、前記第1の固定部材に装着されている状態における前記第1の当接部材の外観と前記第1の蓋体の外観が互いに同一であることが望ましい。前記第２の固定部材は、前記第２のダンパの保持位置の調節を可能とするべく内蔵された第２のダンパ位置調節機構と、前記第２のダンパ位置調節機構を操作するための器具を前記第２の固定部材の内部に挿入できるように前記第２の固定部材の前記第２の当接部材が設けられている側とは反対側の端部に開口した第２の器具挿入口と、前記第２の器具挿入口を閉塞するべく前記第２の固定部材の当該反対側の端部に脱着可能に装着された第２の蓋体とを備え、前記第２の固定部材に装着されている状態における前記第２の当接部材の外観と前記第２の蓋体の外観が互いに同一であることが望ましい。
【００１２】
また、前記第１の当接部材と前記第2の当接部材の外面には、両者が互いに当接した状態での両戸板相互の回動を円滑にすべく曲面部が形成されていることが望ましい。
【００１３】
本発明の緩衝機構ユニットは、一方の戸板と他方の戸板とが互いに水平方向に回動自在に接続されてなる折戸の閉じ際における回動を制動する緩衝機構ユニットであって、前記折戸の開閉に使用される取っ手と、前記取っ手と一体となって前記一方の戸板の正面に固着される固定部材と、前記固定部材に収容された状態で保持され前記他方の戸板側から水平方向に圧縮され反発するダンパと、前記ダンパの前記他方の戸板側の先端部に連結された当接部材とを備え、折戸の閉じ際に前記当接部材が前記他方の戸板に設けられた当接対象と当接し、両戸板相互の閉鎖方向への回動に伴って前記当接部材が前記当接対象に押圧されることにより前記ダンパが圧縮されるように構成したことを特徴としている。
【００１４】
本発明の緩衝機構ユニットにおいて、前記固定部材は、前記ダンパの保持位置の調節を可能とするべく内蔵されたダンパ位置調節機構と、前記ダンパ位置調節機構を操作するための器具を前記固定部材の内部に挿入できるように前記固定部材の前記当接部材が設けられている側とは反対側の端部に開口した器具挿入口と、前記器具挿入口を閉塞するべく前記固定部材の当該反対側の端部に脱着可能に装着された蓋体とを備え、前記固定部材に装着されている状態における前記当接部材の外観と前記蓋体の外観が互いに同一であることが望ましい。
【００１５】
また、前記当接部材の外面には、前記当接部材と前記当接対象とが互いに当接した状態での両戸板相互の回動を円滑にすべく曲面部が形成されていることが望ましい。
【発明の効果】
【００１６】
上記のように構成された緩衝装置及び緩衝機構ユニットは、戸板の正面に固着することにより折戸に取り付けられるので、緩衝装置を取り付けるために戸板に別途穴加工を施す必要がない。そして、この緩衝装置及び緩衝機構ユニットは、折戸に対する制動力を発生するダンパが折戸の開閉に使用される取っ手と一体の固定部材に収容された状態で保持されているので、折戸の意匠を損なうことなく折戸の正面に取付けることができる。
【発明を実施するための最良の形態】
【００１７】
以下本発明を、図面を参照しながら、実施形態に即して詳細に説明する。
【００１８】
［第１の形態例］
図１は本発明の第１の形態例の緩衝装置を備えた折戸装置の正面図である。図２は図１に示す緩衝装置の緩衝機構ユニットの斜視図である。図３は図１に示す緩衝装置の緩衝機構ユニットの分解斜視図である。図４は図１に示す緩衝装置の緩衝機構ユニットの内部構造を示す斜視図である。
【００１９】
図１に示す折戸装置１は、左右一対の戸板１１、１２を蝶番２１、２２により互いに水平方向に回動自在に連結してなる折戸１０と、折戸１０の上方に敷かれたレール３０と、折戸１０をレール３０に吊り下げた状態でレール３０に沿って移動自在に支持しているランナー４１、４２と、レール３０が取り付けられた戸枠５０と、折戸１０の閉じ際における戸板１１、１２相互の急激な回動を制動すべく装備された緩衝装置１００とを備えている。蝶番２１、２２は折戸１０の背面に設けられている。蝶番２１、２２は、折戸用の蝶番として広く用いられている公知の蝶番である。蝶番２１、２２は、いわゆるキャッチ機構を備えており、折戸１０を閉じる際に両戸板１１、１２相互間の角度が略１２５度以上になると、そのキャッチ機構が作動して、折戸１０を強制的に全閉状態に誘導する。緩衝装置１００は、この例では、折戸１０の高さ方向における中心位置よりも若干低い位置に設けられている。
【００２０】
この緩衝装置１００は、一方の戸板１１の正面の他方の戸板１２との連結端部に取り付けられた第１の緩衝機構ユニット１１１と、他方の戸板１２の正面の一方の戸板１１との連結端部に取り付けられた第２の緩衝機構ユニット１２１とを備えている。
【００２１】
図２乃至図４に示すように、第１の緩衝機構ユニット１１１は、折戸１０の開閉に使用される取っ手（第１の取っ手）１１３と、取っ手１１３と一体となって一方の戸板１１の正面に固着される固定部材（第１の固定部材）１１２と、固定部材１１２に収容された状態で保持され他方の戸板１２側から水平方向に圧縮され反発するダンパ（第１のダンパ）１１４と、ダンパ１１４の他方の戸板１２側の先端部に連結された当接部材（第１の当接部材）１１５と、ダンパ１１４の保持位置を調節するためのダンパ位置調節機構（第１のダンパ位置調節機構）１１６とを備えている。
【００２２】
第２の緩衝機構ユニット１２１は、第１の緩衝機構ユニット１１１と同一構成のユニットである。すなわち、図２乃至図４は第２の緩衝機構ユニット１２１の構成を示す図でもあり、第２の緩衝機構ユニット１２１は、折戸１０の開閉に使用される取っ手（第２の取っ手）１１３と、取っ手１１３と一体となって他方の戸板１２の正面に固着される固定部材（第２の固定部材）１１２と、固定部材１１２に収容された状態で保持され一方の戸板１１側から水平方向に圧縮され反発するダンパ（第２のダンパ）１１４と、ダンパ１１４の他方の戸板１２側の先端部に連結された当接部材（第２の当接部材）１１５と、ダンパ１１４の保持位置を調節するためのダンパ位置調節機構（第２のダンパ位置調節機構）１１６とを備えている。
【００２３】
両ユニット１１１、１２１は、折戸１０の閉じ際に互いの当接部材（第２の当接部材）１１５同士が当接するように向き合わせて、それぞれの戸板１１、１２の正面に取り付けられている。
【００２４】
固定部材１１２は、戸板１１、１２の正面に締着される樹脂製の横長の部材であり、これが取り付けられている戸板の正面に対して垂直且つ上下方向に沿った断面の形状が略半円形状になっている。固定部材１１２には、これを長手方向（水平方向）に貫くダンパ収容孔１１２ａが形成されており、このダンパ収容孔１１２ａにダンパ１１４が挿入され保持されている。固定部材１１２の座部１１２ｂにはその複数箇所にビス孔１１２ｃが形成されており、図示しないビス（螺子）を戸板１１、１２の背面から正面に貫通させてビス孔１１２ｃにねじ込んで締め付けることにより、固定部材１１２が戸板１１、１２に固定されている。固定部材１１２の左右両端部には、金属製の一対のアーム部材１１８が固定されており、両アーム部材１１８の先端に掛け渡すようにして取っ手１１３が設けられている。
【００２５】
ダンパ１１４は、円柱形状のシリンダ１１４ａとピストンロッド１１４ｂとを備え、シリンダ１１４ａがダンパ収容孔１１２ａ内に摺動可能に設けられるとともに、ピストンロッド１１４ｂの先端部に当接部材１１５が連結されている。ダンパ１１４の内部構成は特に制限されるものではなく、折戸１０に要求される緩衝性能などを考慮して公知のものを適宜選択することができる。具体的には、特開２００４−１９０４７０号公報にオイル緩衝器として開示されたダンパをあげることができる。
【００２６】
当接部材１１５は、固定部材１１２のダンパ収容孔１１２ａにスライド可能に挿入された筒状の嵌合部１１５ａと、嵌合部１１５ａの先端に設けられた当接部１１５ｃと、固定部材１１２の先端部の上下両面及び背面に重なるようにして摺接するガイド部１１５ｂとを備え、固定部材１１２に対して水平方向に移動可能に設けられるとともに、当接部１１５ｂの先端面を戸板１１、１２の連結端から突出させるべくダンパ１１４により付勢されている。嵌合部１１５ａは、ダンパ１１４のシリンダ１１４ａにピストンロッド１１４ｂ側から被さるようにしてダンパ収容孔１１２ａに挿入されている。嵌合部１１５ａは、シリンダ１１４ａの外周面及びダンパ収容孔１１２ａの内壁面に摺接しつつピストンロッド１１４ｂの移動に伴ってダンパ収容孔１１２ａの先端側開口部１１２ｄから出没する。当接部１１５ｂの外面には、当接部１１５同士が当接した状態での両戸板１１、１２相互の回動を円滑にすべく曲面部１１５ｄが形成されている。
【００２７】
ダンパ位置調節機構１１６は、ダンパ収容孔１１２ａの中間部に嵌合させて固定された筒状の雌螺子体１１６ａと、雌螺子体１１６ａに螺合する棒状の雄螺子体１１６ｂとからなる。シリンダ１１４ａの基端部は雌螺子体１１６ａに挿入され雄螺子体１１６ｂに結合しており、雄螺子体１１６ｂのねじ込み量を調節することによりダンパ１１４の水平方向における保持位置を微調節できるようになっている。すなわち、雄螺子体１１６ｂのねじ込み量を大きくすることにより、シリンダ１１４ａの保持位置を、ダンパ１１４が無圧縮の状態における当接部材１１５の固定部材１１２からの離間量がより大きくなる側に移動させることができ、逆に、雄螺子体１１６ｂのねじ込み量を小さくすれば、シリンダ１１４ａの保持位置を、ダンパ１１４が無圧縮の状態における当接部材１１５の固定部材１１２からの離間量がより小さくなる側に移動させることができる。これにより緩衝機構ユニット１１１、１２１の効きを調節することが可能となる。雄螺子体１１６ｂの雌螺子体１１６ａに対するねじ込み量は、ダンパ収容孔１１２ａ内にその基端側開口部（器具挿入口）１１２ｅからドライバ等の工具（器具）を挿入して、雄螺子体１１６ｂを回動操作することにより調節することができる。
【００２８】
固定部材１１２の基端部には、器具挿入口１１２ｅを閉塞するべく、蓋体１１７が脱着可能に装着されている。蓋体１１７は、ダンパ収容孔１１２ａに挿入されている部分すなわち筒状の嵌合部１１７ａの外径寸法を除いて、当接部材１１５とその形状・寸法が同一の部材である。蓋体１１７の嵌合部１１７ａは、ダンパ収容孔１１２ａに適度に圧接した状態で嵌合し得るように、その外径寸法が当接部材１１５の嵌合部１１５ａよりも若干大きく選定されている。したがって、少なくとも固定部材１１２に装着されている状態(特に、当接部材１１５同士が押圧し合っている状態)においては、当接部材１１５の外観と蓋体１１７の外観は互いに同一である。
【００２９】
次に、上記のように構成された緩衝装置１００の動作について説明する。
【００３０】
図５は折戸装置１の開閉時における一連の状態を示す部分平面図である。図６は折戸装置１の開閉時における一連の状態を示す部分斜視図である。図５、図６において、（ａ）は折戸１０が全開の状態である。この状態から折戸１０を閉めていくと、（ｂ）の状態を経て、（ｃ）の状態すなわち折戸１０の折曲角度が略１２５度になった時点で、蝶番２１、２２のキャッチ機構が作動し、その働きにより折戸１０が強制的に（ｄ）の状態すなわち全閉状態まで誘導される。その際、蝶番２１、２２のキャッチ機構の作動開始後から折戸１０が全閉状態になるまでの間の所定のタイミングで、両緩衝機構ユニット１１１、１２１の当接部材１１５同士が当接し、両戸板１１、１２相互の閉鎖方向への回動に伴って両当接部材１１５同士が押圧し合うことにより両緩衝機構ユニット１１１、１２１のダンパ１１４が同時に圧縮され、緩衝装置１００による制動力が効き始める。これにより、折戸１０は閉め際における両戸板１１、１２相互の急激な回動が制動されつつ、全閉状態まで静かに誘導される。
【００３１】
上記のように、この緩衝装置１００は、両緩衝機構ユニット１１１、１２１の固定部材１１２を戸板１１、１２にビスで締着することにより折戸１０に取り付けることができるので、緩衝装置１００を取り付けるために戸板１１、１２に別途穴加工を施す必要がない。したがって、この緩衝装置１００によれば、緩衝機構を備えた折戸装置１を従来よりも少ない工数で製造することができる。また、この緩衝装置１００は、二つのダンパ１１４を同時に働かせるように構成されているので、折戸１０の閉め際における両戸板１１、１２相互の急激な回動を二つのダンパ１１４による強い緩衝力によって確実に制動できる。
【００３２】
また、両緩衝機構ユニット１１１、１２１は、折戸１０に対する制動力を発生するダンパ１１４が折戸１０の開閉に使用される取っ手１１３と一体となった固定部材１１２に収容された状態で保持され、固定部材１１２の内部が全く見えない構造になっているので、折戸１０の意匠を損なうことなく折戸１０の正面に取付けることができる。したがって、正面に緩衝装置１００が取り付けられていることによる違和感を生じさせない意匠的に優れた折戸装置１を実現できる。また、上下左右に対称的な形状の固定部材１１２の両端部にそれぞれ当接部材１１５と蓋体１１７を装着し、且つ固定部材１１２に装着されている状態における当接部材１１５と蓋体１１７の外観が互いに同一であることにより、全体として上下左右に対称的な形状で、可動部すなわち当接部材１１５の存在を意識させない緩衝機構ユニット１１１、１２１を実現することができる。
【００３３】
さらに、この緩衝装置１００は、ダンパ１１４のピストンロッド１１４ｂなどが当接部材１１５により保護されているので極めて耐久性が高い。長期の使用により当接部材１１５の先端が摩耗した場合には、当接部材１１５のみ取り外して交換すればよいのでメンテナンス性も優れている。また、両方の戸板１１、１２にそれぞれ緩衝機構ユニット１１１、１２１を設けたことで、いずれか一方の戸板のみに設ける場合と比べて緩衝能力を向上させることができ、あるいはダンパ１１４として小型のものを採用することができる。
【００３４】
なお、上記の例では、両方の戸板１１、１２にそれぞれ緩衝機構ユニット１１１、１２１を設けた緩衝装置の構成例について説明したが、例えば、図７に示すように、他方の戸板１２には第２の緩衝機構ユニット１２１の代わりに単なる当接体（当接対象）１１９を固定して設け、折戸１０の閉じ際に第１の緩衝機構ユニット１１１の当接部材１１５と当接体１１９とが互いに当接し、両戸板１１、１２相互の閉鎖方向への回動に伴って当接部材１１５が当接体１１９に押圧されることにより第１の緩衝機構ユニット１１１のダンパ１１４が圧縮されるように構成してもよい。当接体１１９は、第１の緩衝機構ユニット１１１に対し反力を及ぼすことが可能な部材であればよい。
また、上記の例では、上荷重式の折戸装置について説明したが、本発明の緩衝装置は下荷重式の折戸装置に装備しても有効に機能する。
【図面の簡単な説明】
【００３５】
【図１】本発明の第１の形態例の緩衝装置を備えた折戸装置の正面図
【図２】図１に示す緩衝装置の緩衝機構ユニットの斜視図
【図３】図１に示す緩衝装置の緩衝機構ユニットの分解斜視図
【図４】図１に示す緩衝装置の緩衝機構ユニットの内部構造を示す斜視図
【図５】折戸装置の開閉時における一連の状態を示す部分平面図
【図６】折戸装置１の開閉時における一連の状態を示す部分斜視図
【図７】本発明の第２の形態例の緩衝装置を備えた折戸装置の部分斜視図
【符号の説明】
【００３６】
１  折戸装置
１０  折戸
１１、１２  戸板
１００  緩衝装置
１１１  第１の緩衝機構ユニット
１１２  固定部材
１１２ａ  ダンパ収容孔
１１２ｃ  ビス孔
１１２ｅ  器具挿入口
１１３  取っ手
１１４  ダンパ
１１４ａ  シリンダ
１１４ｂ  ピストンロッド
１１５  当接部材
１１５ｂ  当接部
１１５ｄ  曲面部
１１６  ダンパ位置調節機構
１１７  蓋体
１１９  当接体（当接対象）
１２１  第２の緩衝機構ユニット
【図１】
2008248606.tif 000003
【図２】
2008248606.tif 000004
【図３】
2008248606.tif 000005
【図４】
2008248606.tif 000006
【図５】
2008248606.tif 000007
【図６】
2008248606.tif 000008
【図７】
2008248606.tif 000009